(57)【要約】【課題】  ＨＳＤＰＡ方式を用いた移動通信システムにおいて、ユーザに対して、下り共通チャネルを使用する高速データ通信により適した場所を推測する情報を告知することにより、ユーザがより高速なデータ通信を行うことを可能とすると共に、システムとしてのスループットを向上させることを可能とする。【解決手段】  サービングセルからのパイロット信号電力対総受信電力比を画面に表示することにより、移動通信端末のユーザが下り共通チャネルを使用した高速データ通信を行う場合に実際に得られる信号対雑音比の推定が行え、下り高速データ通信を行う場合に画面表示を確認しつつ最適な位置に移動通信端末を移動させることができ、よって従来よりも高速にデータ通信を行うことが可能となり、その結果、システム全体としてのスループットも向上させることが可能となる。【選択図】      図１
2008166883.tif 000002
【特許請求の範囲】
【請求項１】
下り共通チャネルを利用して高速データ通信をなす移動通信システムにおける移動通信端末での通信回線品質情報表示装置であって、前記データ通信により適した場所をユーザが推測するための情報である通信回線品質情報を表示する手段を含むことを特徴とする装置。
【請求項２】
前記手段は、前記情報として、パイロット信号電力と総受信電力との比を測定して表示することを特徴とする請求項１記載の装置。
【請求項３】
前記手段は、前記パイロット信号電力と前記総受信電力との比を測定する測定手段と、この測定結果を表示する表示手段とを有することを特徴とする請求項２記載の装置。
【請求項４】
前記移動通信システムは、ＨＳＤＰＡ（High Speed Downlink Packet Access ）方式であり、前記下り共通チャネルはＤＳＣＨ（Downlink Shared Channel ）であることを特徴とする請求項１〜３いずれか記載の装置。
【請求項５】
請求項１〜４いずれか記載の装置を含むことを特徴とする移動通信端末。
【請求項６】
下り共通チャネルを利用して高速データ通信をなす移動通信システムにおける移動通信端末での通信回線品質情報表示方法であって、前記データ通信により適した場所をユーザが推測するための情報である通信回線品質情報を表示するステップを含むことを特徴とする方法。
【請求項７】
前記ステップは、前記情報としてパイロット信号電力と総受信電力との比を測定して表示するステップを含むことを特徴とする請求項６記載の方法。
【請求項８】
前記ステップは、前記パイロット信号電力と前記総受信電力との比を測定する測定ステップと、この測定結果を表示する表示ステップとを有することを特徴とする請求項７記載の方法。
【請求項９】
前記移動通信システムは、ＨＳＤＰＡ（High Speed Downlink Packet Access ）方式であり、前記下り共通チャネルはＤＳＣＨ（Downlink Shared Channel ）であることを特徴とする請求項６〜８いずれか記載の方法。
【発明の詳細な説明】
【技術分野】
【０００１】
本発明は通信回線品質表示装置及びその方法並びにそれを用いた移動通信端末に関し、特に下り共通チャネルを利用してデータ通信をなす移動通信システムにおける移動通信端末での通信回線品質表示方式に関するものである。
【背景技術】
【０００２】
一般に、移動通信システムにおける移動通信端末においては、当該移動通信端末が位置する場所での受信電波状況をユーザに対して告知するために、送受信電力のレベル表示をなすようになっている。図３はそのための移動通信端末の概略機能ブロック図を示している。
【０００３】
図３を参照すると、移動通信端末は、アンテナ１と、受信部２と、制御部３と、音声出力部４と、画面表示部５と、入力装置６と、送信部７とを含んで構成されている。受信部２は、高周波信号のフィルタリングおよび周波数変換を行ってベースバンド信号とする無線受信機２１と、ベースバンド信号をデジタル変換するＡ／Ｄ（アナログ／デジタル）変換部２２と、このデジタルベースバンド信号を復調する復調部２３とを有している。
【０００４】
なお、音声出力部４はスピーカであり、画面表示部５はＬＣＤ表示部であり、入力装置６はキー操作部であり、送信部７は送信すべきデータを基地局へ送信する機能を有し、制御部３はこれら各部の制御をなすＣＰＵである。
【０００５】
かかる構成において、アンテナ１による基地局からの受信信号は、受信部２内の無線受信機２１において、高周波信号のフィルタリングおよび周波数変換が行われ、Ａ／Ｄ変換部２２へベースバンド信号として出力される。Ａ／Ｄ変換部２２はこのベースバンド信号をデジタル値に変換して復調部２３に出力する。復調部２３では、デジタル化されたベースバンド信号を逆拡散・復調処理して、基地局より送信されたデータを出力する。
【０００６】
また、無線受信機２１は現在の干渉波を含めた総受信レベルを制御部３に通知する。制御部３は復調部２３より出力されたデータを、音声出力部４や画面表示部５に出力する。また、無線受信機２１より出力された総受信レベルに応じて、画面表示部５に表示を行って、当該移動通信端末が位置する場所での受信電波状況をユーザに対して告知するようになっている。
【０００７】
ここで、Ｗ−ＣＤＭＡ（Widebande-Code Division Multiple Access ）移動通信システムにおいて、下り共通チャネル（ＤＳＣＨ：Downlink Shared Channel ）を使用して高速データ通信を可能としたＨＳＤＰＡ（High Speed Downlink Packet Access ）方式がある。このような下り共通チャネルを使用した高速データ通信では、移動通信端末に送信するデータをサービングセルの基地局からしか送信しないので、図３に示したように、総受信電力のレベルのみを画面に表示する構成では、移動通信端末に隣接する複数の基地局からの信号がこの移動通信端末に到達するために、受信電界が強くても、他の基地局からの送信電波が干渉波となり高速なデータ通信が行えない場合がある。
【０００８】
このＨＳＤＰＡ方式における移動通信端末においては、画面表示部５に現在の総受信レベルを表示することになるために、下り共通チャネルを使用した高速データ通信を行おうとした場合の回線品質を、データ通信前もデータ通信中も画面表示から推測できないことになる。その様な場合には、移動通信端末のユーザは、実際に通信を開始してから速度が上がらないことに気づいた時点で、闇雲に端末を移動させて、より高速にデータを受信できる場所を探すか、そのままの速度で通信を行うしかない。
【０００９】
すなわち、回線品質がよりよい場所を移動通信端末のユーザ用者に通知することが出来ないために、ユーザは、データ通信に適した場所に移動通信端末を移動させることができず、そのために、システムとしての下り共通チャネルを利用した高速データ通信のスループットが向上しないことになる。
【００１０】
ここで、特許文献１，２を参照すると、移動通信システムにおける移動通信端末のハンドオーバに際して、最適な通信品質が維持できる基地局と接続するために、通信環境の測定をなす技術が開示されている。
【特許文献２】特開２０００−２７０３５６号公報
【特許文献１】特開２００６−２６２０７７号公報
【発明の開示】
【発明が解決しようとする課題】
【００１１】
図３に示した従来の移動通信端末の構成では、上述したように、現在の総受信レベルを表示するようになっているので、下り共通チャネルを使用した高速データ通信を行おうとした場合の回線品質を、データ通信前もデータ通信中も画面表示から推測できないという欠点がある。また、回線品質がより良い場所をユーザに通知することが出来ないため、ユーザはデータ通信に適した場所に移動端末を移動させることができず、そのため、システムとしての下り共通チャネルを利用した高速データ通信のスループットが上がらないという欠点がある。
【００１２】
また、特許文献１，２の技術では、ハンドオーバ時の受信環境の測定に関するのであって、上記の欠点を解決するためのものではない。
【００１３】
本発明の目的は、ユーザに対して、下り共通チャネルを使用する高速データ通信により適した場所を推測する情報を告知することにより、ユーザがより高速なデータ通信を行うことを可能とすると共に、システムとしてのスループットを向上させることを可能とした移動通信端末における通信回線品質表示装置及びその方法並びにそれを用いた移動通信端末を提供することである。
【課題を解決するための手段】
【００１４】
本発明による通信回線品質表示装置は、下り共通チャネルを利用して高速データ通信をなす移動通信システムにおける移動通信端末での通信回線品質表示装置であって、前記データ通信により適した場所をユーザが推測するための情報である通信回線品質情報を表示する手段を含むこと特徴とする。
【００１５】
本発明による移動通信端末は、上記の通信回線品質表示装置を用いたことを特徴とする
【００１６】
本発明による通信回線品質表示方法は、下り共通チャネルを利用して高速データ通信をなす移動通信システムにおける移動通信端末での通信回線品質表示方法であって、前記データ通信により適した場所をユーザが推測するための情報である通信回線品質情報を表示するステップを含むことを特徴とする。
【発明の効果】
【００１７】
本発明によれば、下り共通チャネルを使用したデータ通信を開始する前に、データ通信で得られる回線品質を推定することができるので、ユーザが予め回線品質の良い場所に移動して、データ通信を開始することができるという効果がある。また、本発明によれば、下り共通チャネルを使用したデータ通信中においても、パイロット強度対干渉波比を計算し画面に表示させることにより、ユーザがより適した場所へ移動通信端末を移動させることができ、よって、より高速なデータ通信を行うことができるという効果がある。
【００１８】
更に、本発明によれば、ユーザがより高速なデータ通信を行うことにより、下り送信電力軽減やデータ通信時間を短縮する効果が得られ、その結果、回線スループットが向上し、より多くのユーザが高速データ通信を行うことができるという効果がある。
【発明を実施するための最良の形態】
【００１９】
以下に本発明の実施例について図面を参照しつつ説明する。図１は本発明の実施例による移動通信端末の機能ブロック図であり、図３と同等部分は同一符号により示している。本実施例における移動通信端末は、図３に示した従来例に対して、受信部２内において、Ａ／Ｄ変換部２２と制御部３との間に、パイロット強度測定部２４が追加されており、他の構成は図３のそれと同等であるので、説明は省略する。
【００２０】
このパイロット強度測定部２４は、Ａ／Ｄ変換部２２から入力されたデジタル化されたベースバンド信号から、サービングセル（通常、最も信号強度の強いセル）の信号強度を総受信電力との比として計算し、制御部３へ出力するものである。この制御部３は復調部２３から入力された受信データを、その呼種に応じて音声出力部４に音声データとして出力したり、画面表示部５に画像データとして出力する。
【００２１】
また、制御部３はパイロット強度測定部２４からパイロット信号強度と総受信電力との比を受け取り、その比に従って画面表示部５に通信回線品質を示す表示を行う。更に、制御部３は入力装置６（マイクやカメラ等）から入力されたデータを送信部７に出力する機能を有する。送信部７は制御部３から入力された送信データに変調・拡散処理を行い、更に高周波信号に変換して、アンテナ１から電波の送信を行うものであり、従来例と同じである。
【００２２】
次に、図２を用いて本発明の原理を説明する。図２において、基地局Ａ（図示せず）をサービングセルの基地局とし、基地局Ｂ（図示せず）を隣接基地局とすると、移動通信端末が受信するサービングセルからの希望波対干渉波の比ＳＩＲは、
ＳＩＲ＝（基地局Ａからの希望波の受信電力）
／（基地局Ａからの総受信電力＋基地局Ｂからの総受信電力）
により計算できる。
【００２３】
移動通信端末が地点ａに位置している場合には、基地局Ｂからの総受信電力が最も低くなり、その結果ＳＩＲは最大となる。移動通信端末が地点ｃまで移動すると、移動通信端末が受信する総受信電力は地点ａの時のそれと変わらないにもかかわらず、ＳＩＲは最小となる。
【００２４】
このように、移動通信端末が受信する総受信電力が等しくても、ＳＩＲは大きく異なる場合があり、その結果、総受信電力が大きくても、下り共通チャネルを使用した高速データ通信を行うには十分な回線品質を得られない場合がある。そこで、上記のように、ＳＩＲを計算し表示することにより、サービングセルからの下り共通チャネルを受信する場合の回線品質を測定することができる。
【００２５】
一方、ＳＩＲの計算は、実際にデータ通信を開始しないと測定が行えないが、ＣＤＭＡ方式を用いた移動通信システムにおける基地局が常に送信しているパイロット信号とその干渉波との比を測定することにより、データ通信を行った場合に得られる通信回線品質を推定することが可能である。
【００２６】
次に、本発明の実施例の動作を説明する。図示せぬ基地局からの信号をアンテナ１により受信した移動通信端末は、受信部２内の無線受信機２１にて高周波信号のフィルタリングおよび周波数変換を行い、Ｄ／Ａ変換部２２に対してベースバンド信号として出力する。このベースバンド信号を受けたＤ／Ａ変換部２２は、ベースバンド信号をデジタル値に変換して復調部２３及びパイロット強度測定部２４に出力する。
【００２７】
デジタル化されたベースバンド信号を受けたパイロット強度測定部２４は、その信号からサービングセルのパイロット強度対干渉波比（ＳＩＲ）を計算し、その計算結果を制御部３に通知する。サービングセルのパイロット強度対干渉波比（ＳＩＲ）を受けた制御部３は、その値に応じた画面表示を行うために、画面表示部５に対して制御を行うことになる。
【００２８】
なお、本発明による移動通信端末では、復調部２３とパイロット強度測定部２４とが独立で動作できるために、下り共通チャネルを使用した高速データ通信中も、パイロット強度対干渉波比を計算し、その結果を画面表示部５に表示させることが可能である。
【００２９】
上述したように、本発明では、下り共通チャネル（ＤＳＣＨ）を使用する高速データ通信可能な移動通信システム（例えば、Ｗ−ＣＤＭＡシステムのＨＳＤＰＡ等）の移動通信端末において、移動通信端末が位置する場所が下り高速データ通信にどれくらい適した場所であるかを、段階的に表示することを可能としている。
【００３０】
このように、サービングセルからのパイロット信号電力対総受信電力比を画面に表示することにより、移動通信端末のユーザが下り共通チャネルを使用した高速データ通信を行う場合に実際に得られる信号対雑音比の推定が行え、よって、ユーザが下り高速データ通信により適した場所を推測できる情報が提供できる。その結果、下り高速データ通信を行う場合に、画面表示を確認しつつ最適な位置に移動通信端末を移動させることができ、よって従来よりも高速にデータ通信を行うことが可能となる。その結果として、システム全体としてのスループットも向上させることが可能となるのである。
【図面の簡単な説明】
【００３１】
【図１】本発明の実施例の移動通信端末の機能ブロック図である。
【図２】本発明の実施例の動作を説明するための図である。
【図３】従来技術を説明するための移動通信端末の機能ブロック図である。
【符号の説明】
【００３２】
１  アンテナ
２  受信部
３  制御部
４  音声出力部
５  画面表示部
６  入力装置
７  送信部
２１  無線受信機
２２  Ａ／Ｄ変換部
２３  復調部
２４  パイロット強度測定部
【図１】
2008166883.tif 000003
【図２】
2008166883.tif 000004
【図３】
2008166883.tif 000005